(57)【要約】【課題】  読み取りの搬送経路と記録の搬送経路とを共有するファクシミリ装置において、ファクシミリ受信中にファクシミリ送信しようと考えた場合、迅速にファクシミリ送信することができるようにする。【解決手段】  原稿を読み取る読取手段と、画像データを送受信する通信手段と、受信した画像データをメモリに蓄積する第１の蓄積手段と、メモリに蓄積されている画像データを読み出し、記録する記録手段と、原稿の送信を指示する送信指示手段と、原稿と記録紙とに共通の搬送機構である媒体搬送機構と、通信手段が画像データを受信し、受信した画像データの第１の蓄積手段によるメモリ蓄積動作を行なっているときに、送信指示手段が原稿の送信を指示すると、記録手段が受信画像データの記録動作するよりも、送信指示手段の指示に基づいて読取手段が送信原稿を優先して読取動作するように制御する。【選択図】  図１
2005175518.tif 000002
【特許請求の範囲】
【請求項１】
原稿を読み取る読取手段と；
画像データを送受信する通信手段と；
受信した画像データをメモリに蓄積する第１の蓄積手段と；
メモリに蓄積されている画像データを読み出し、記録する記録手段と；
原稿の送信を指示する送信指示手段と；
原稿と記録紙とに共通の搬送機構である媒体搬送機構と；
上記通信手段が画像データを受信し、受信した画像データの第１の蓄積手段によるメモリ蓄積動作を行なっているときに、上記送信指示手段が原稿の送信を指示すると、上記記録手段が受信画像データを記録動作するよりも、上記送信指示手段の指示に基づいて上記読取手段が送信原稿を優先して読取動作するように制御する制御手段と；
を有することを特徴とするファクシミリ装置。
【請求項２】
請求項１において、
上記読取手段が読み取った画像を、メモリに蓄積する第２の蓄積手段とを有し、
上記制御手段は、上記通信手段が画像データを受信し、受信した画像データの第１の蓄積手段によるメモリ蓄積動作を行なっているときに、上記送信指示手段が原稿の送信を指示すると、受信した画像データを上記記録手段が記録動作するよりも、読み取った画像を上記第２の蓄積手段が優先してメモリ蓄積動作するように制御することを特徴とするファクシミリ装置。
【請求項３】
請求項１または請求項２において、
上記読み取り手段が原稿を読み取る場合に、上記読取手段を、読み取り動作可能な位置まで移動させ、また読み取り動作を終了する場合には、上記読取手段を、退避位置まで移動させる移動手段を有することを特徴とするファクシミリ装置。
【請求項４】
請求項１〜請求項３のいずれか１項において、
上記制御手段は、受信した画像データを上記第１の蓄積手段がメモリ蓄積する動作と、上記読取手段が送信原稿を読み取る動作とを、並行して行なうように制御する手段であることを特徴とするファクシミリ装置。
【請求項５】
請求項２〜請求項４のいずれか１項において、
上記制御手段は、受信した画像データを上記第１の蓄積手段がメモリ蓄積する動作と、読み取った画像を上記第２の蓄積手段がメモリ蓄積する動作とを、並行して行なうように制御する手段であることを特徴とするファクシミリ装置。
【請求項６】
請求項１〜請求項５のいずれか１項において、
受信した画像データを第１の蓄積手段がメモリ蓄積する動作が終了した後に、上記読取動作によって読み取られた画像を上記通信手段が送信する動作を開始させ、かつ、上記読取手段による送信原稿の読取動作が終了した後に、受信した画像データを上記記録手段が記録動作し、上記制御手段は、上記送信動作と上記記録動作とを並行して行なうように制御する手段であることを特徴とするファクシミリ装置。
【請求項７】
請求項２〜請求項６のいずれか１項において、
複数ページを記録中に、上記送信指示手段が原稿の送信を指示すると、受信した画像データを上記記録手段が記録している途中ページで一時中断させ、上記送信指示手段が指示した上記読取手段による送信原稿の読取と、上記第２の蓄積手段による上記メモリへの蓄積とが終わった後に、残りの画像データを記録させることを特徴とするファクシミリ装置。
【請求項８】
原稿と記録紙とに共通の搬送機構である媒体搬送機構を具備するファクシミリ装置の制御方法において、
読取手段が原稿を読み取る読取段階と；
画像データを送受信する通信段階と；
受信した画像データをメモリに蓄積する第１の蓄積段階と；
メモリに蓄積されている画像データを読み出し、記録手段が記録する記録段階と；
原稿の送信を指示する送信指示段階と；
上記通信段階で画像データを受信し、受信した画像データを第１の蓄積段階でメモリ蓄積動作を行なっているときに、上記送信指示段階で原稿の送信を指示すると、上記記録段階で行なう受信画像データの記録よりも、上記送信指示段階での指示に基づく上記読取段階での送信原稿の読取を優先するように制御する制御段階と；
を有することを特徴とするファクシミリ装置の制御方法。
【請求項９】
原稿と記録紙とに共通の搬送機構である媒体搬送機構を具備するファクシミリ装置において、
読取手段が原稿を読み取る読取手順と；
画像データを送受信する通信手順と；
受信した画像データをメモリに蓄積する第１の蓄積手順と；
メモリに蓄積されている画像データを読み出し、記録手段が記録する記録手順と；
原稿の送信を指示する送信指示手順と；
上記通信手順で画像データを受信し、受信した画像データを第１の蓄積手順でメモリ蓄積動作を行なっているときに、上記送信指示手順で原稿の送信を指示すると、上記記録手順で行なう受信画像データの記録よりも、上記送信指示手順での指示に基づく上記読取手順での送信原稿の読取を優先するように制御する制御手順と；
をコンピュータに実行させるプログラム。
【請求項１０】
原稿と記録紙とに共通の搬送機構である媒体搬送機構を具備するファクシミリ装置において、
読取手段が原稿を読み取る読取手順と；
画像データを送受信する通信手順と；
受信した画像データをメモリに蓄積する第１の蓄積手順と；
メモリに蓄積されている画像データを読み出し、記録手段が記録する記録手順と；
原稿の送信を指示する送信指示手順と；
上記通信手順で画像データを受信し、受信した画像データを第１の蓄積手順でメモリ蓄積動作を行なっているときに、上記送信指示手順で原稿の送信を指示すると、上記記録手順で行なう受信画像データの記録よりも、上記送信指示手順での指示に基づく上記読取手順での送信原稿の読取を優先するように制御する制御手順と；
をコンピュータに実行させるプログラムを記憶したコンピュータ読み取り可能な記憶媒体。
【発明の詳細な説明】
【技術分野】
【０００１】
本発明は、読み取り動作を行う際に、原稿が搬送される原稿搬送経路と、記録動作を行う際に、記録紙が搬送される記録搬送経路とを持つファクシミリ装置、ファクシミリ装置の制御方法、プログラムおよび記憶媒体に関する。
【背景技術】
【０００２】
従来のファクシミリ装置では、読み取り動作を行なう際に原稿が搬送される原稿搬送経路と、記録動作を行なう際に記録紙が搬送される記録搬送経路とが、完全に分離されている（たとえば、特許文献１参照）。
【特許文献１】特開平０８−１６３２８８号公報
【発明の開示】
【発明が解決しようとする課題】
【０００３】
しかし、上記方法では、エッジセンサ、駆動モータや搬送ローラが、読み取りと記録とにそれぞれ必要になり、ファクシミリ装置の小型化やコストダウンの面で不利であるという問題がある。
【０００４】
そこで、エッジセンサ、駆動モータや搬送ローラを、読み取りと記録とにおいて、共用することが考えられる。
【０００５】
ところが、読み取りの搬送経路と記録の搬送経路とを共有すると、読み取り動作と記録動作とを同時に実行することができず、ファクシミリ受信中に送信をしようとする場合、ファクシミリ受信が終わると、受信したファクシミリの記録を行い、この記録が終わった後に、送信する。
【０００６】
つまり、読み取りの搬送経路と記録の搬送経路とを共有するファクシミリ装置において、ファクシミリ受信中にファクシミリ送信しようと考えた場合、送信が実行されるまでに時間がかかり、緊急にファクシミリを送信したい場合に不便であるという問題がある。
【０００７】
本発明は、読み取りの搬送経路と記録の搬送経路とを共有するファクシミリ装置において、ファクシミリ受信中にファクシミリ送信しようと考えた場合、迅速にファクシミリ送信することができるファクシミリ装置、ファクシミリ装置の制御方法、プログラムおよび記憶媒体を提供することを目的とするものである。
【課題を解決するための手段】
【０００８】
本発明は、原稿を読み取る読取手段と、画像データを送受信する通信手段と、受信した画像データをメモリに蓄積する第１の蓄積手段と、メモリに蓄積されている画像データを読み出し、記録する記録手段と、原稿の送信を指示する送信指示手段と、原稿と記録紙とに共通の搬送機構である媒体搬送機構と、上記通信手段が画像データを受信し、受信した画像データの第１の蓄積手段によるメモリ蓄積動作を行なっているときに、上記送信指示手段が原稿の送信を指示すると、上記記録手段が受信画像データの記録動作するよりも、上記送信指示手段の指示に基づいて上記読取手段が送信原稿を優先して読取動作するように制御する制御手段とを有することを特徴とするファクシミリ装置である。
【発明の効果】
【０００９】
本発明によれば、読み取りの搬送経路と記録の搬送経路とを共有するファクシミリ装置において、ファクシミリ受信中にファクシミリ送信しようと考えた場合、迅速にファクシミリ送信することができるという効果を奏する。
【発明を実施するための最良の形態】
【００１０】
発明を実施するための最良の形態は、次の実施例である。
【実施例１】
【００１１】
図１は、本発明の実施例１であるファクシミリ装置１００の構成図である。
【００１２】
ファクシミリ装置１００は、ＣＰＵ１０１と、ＲＯＭ１０２と、ＮＶＲＡＭ１０３と、ＲＡＭ１０４と、表示部１０５と、読取部１０６と、記録部１０７と、エッジセンサ１０８と、操作部１０９と、ＭＯＤＥＭ１１０と、ＮＣＵ１１１とを有する。
【００１３】
ＣＰＵ１０１は、ファクシミリ装置１００を制御するものである。ＲＯＭ１０２は、ファクシミリ装置１００の制御プログラム等を格納するメモリである。ＮＶＲＡＭ１０３は、各種登録データと動作モード変数とを格納する不揮発性メモリである。
【００１４】
ＲＡＭ１０４は、画像データを格納し、動作に必要なワークメモリとして使用するメモリである。表示部１０５は、ファクシミリ装置１００の状態等を表示する。読取部１０６は、送信、コピーを行なう際に、原稿を読み取る。記録部１０７は、受信した画像やコピーで読み取った画像を記録する。
【００１５】
エッジセンサ１０８は、原稿／記録紙搬送機構内に原稿もしくは記録紙である媒体があることを検出する。操作部１０９は、複数のキーによって構成され、各種操作の指示を行なう。ＭＯＤＥＭ１１０は、読取部１０６で読み取った画像、受信した画像を、それぞれ、符号化、復号化する。ＮＣＵ１１１は、通信やパルス信号の送出のために網制御を行なう。
【００１６】
図２、図３、図４、図５は、ファクシミリ装置１００の機構を示す図である。
【００１７】
読取部１０６は、ＣＳ（コンタクトセンサ）２２と、ＣＳホルダ２６と、白基準２５とによって構成されている。
【００１８】
ＣＳ２２は、通常時は、図２に示す位置にあり、読み取り時にのみ、図３に示す位置に移動する。原稿分離ローラ１５は、その一端を、読み取り駆動伝達手段、駆動切替手段を介して、駆動モータ２０に連結されている。
【００１９】
インクカートリッジ１は、キャリッジ４に装着され、インクジェット方式による記録を行なう。なお、エッジセンサ１０８に接続されるアクチュエイター２１、駆動モータ２０、搬送ローラ１０は、読み取り動作時と記録動作時とにおいて、共用するものである。
【００２０】
次に、ファクシミリ装置１００における読み取り動作について説明する。
【００２１】
図６は、ファクシミリ装置１００における読み取り動作を示すフローチャートである。
【００２２】
送信機（図示せず）から、ファクシミリ装置１００にファクシミリ送信すると、回線から呼出信号が到来する。この呼出信号を、ＮＣＵ１１１が検出すると、ＮＣＵ１１１を制御し、回線を閉結し、ＭＯＤＥＭ１１０が受信を開始する（Ｓ２０１、Ｓ２０２、Ｓ２０３）。受信した画像データは、ＲＡＭ１０４に順次、格納される。
【００２３】
受信を終了すると、ＮＣＵ１１１を制御し、回線を開放し、受信した画像を、記録部１０７が記録する（Ｓ２０４、Ｓ２１８、Ｓ２１９）。
【００２４】
ところで、受信中に、操作部１０９から新たに送信の指示がされた場合（Ｓ２０５）、読取部１０６が原稿を読み取る（Ｓ２０６）。キャリッジモータ３３を駆動させ、キャリッジ４を左に移動させることによって、駆動切替手段が、駆動モータ２０の駆動を読み取りモードに切り替え、キャリッジ４をホームポジション（図５に示す位置）に戻す。
【００２５】
読み取り駆動伝達手段を介して、駆動モータ２０が原稿分離ローラ１５を回転し、原稿給紙動作を開始するとともに、ＣＳ駆動伝達手段を介して、ＣＳ駆動手段を作動させ、ＣＳホルダ２６の移動を開始する。
【００２６】
読み取り駆動伝達手段とＣＳ駆動伝達手段とのギア比と、ローラ径とを調節することによって、原稿１２が給紙ローラ１０に到達する前に、ＣＳホルダ２６が、図３に示す位置に達するように設計されている。
【００２７】
ＣＳホルダ２６が、図３に示す位置に達すると、ＣＳ駆動手段とＣＳ駆動伝達手段とを連結しているクラッチが切れ、ＣＳホルダ２６が停止する。
【００２８】
なおも駆動モータ２０を駆動し、原稿が、給送ローラ１０を通過し、ＣＳ２２の位置に到達したときに、読み取りを開始する。読み取った画像データは、ＲＡＭ１０４に格納される。このとき、受信はまだ終了していないので、受信したデータのＲＡＭ１０４への格納と、原稿の読み取り動作、読み取った画像データのＲＡＭ１０４への格納は、並行して行なわれる。
【００２９】
そして、ステップＳ２０７に進み、ファクシミリ受信が終了するまで、または原稿読み取りが終了するまで待つ（Ｓ２０７、Ｓ２０８）。
【００３０】
ファクシミリ受信が先に終了した場合は、ステップＳ２１２に進み、ＮＣＵ１１１を制御し、回線を開放し（Ｓ２１２）、原稿の読み取りが終了するまで待つ（Ｓ２１３）。読み取りが終了したら、駆動モータ２０を逆方向に駆動させることによって、駆動切替手段による読み取りモードが解除され、ＣＳホルダ２６を、図２に示す位置に戻す。すると、媒体搬送路を記録紙搬送のために開放できるので、受信した画像の記録を開始する（Ｓ２１４）。
【００３１】
逆に、原稿の読み取りが先に終了した場合は、駆動モータ２０を逆方向に駆動させることによって、駆動切替手段による読み取りモードが解除し、ＣＳホルダ２６を、図２に示す位置に戻し、ステップＳ２０９に進み、ファクシミリ受信が終了するまで待つ。ファクシミリ受信が終了したら、ＮＣＵ１１１を制御し、回線を開放し、受信した画像の記録を開始する（Ｓ２１０、Ｓ２１１）。
【００３２】
次に、先程読み取った原稿の送信を行なうために、ＮＣＵ１１１を制御し、回線を閉結し、ダイヤルする（Ｓ２１５、Ｓ２１６）。相手機が応答したら、ＲＡＭ１０４に格納されている読み取った原稿の画像データを読み出し、ＭＯＤＥＭ１１０によって送信を開始する（Ｓ２１７）。このとき、受信した画像データの記録動作と、読み取った原稿の画像データの送信動作は、並行して行なわれる。
【００３３】
送信が終了したら、ＮＣＵ１１１を制御し、回線を開放する（Ｓ２２０、Ｓ２２１）。
【００３４】
なお、上記実施例では、読み取った画像データをＲＡＭ１０４に格納しているが、ＮＶＲＡＭ１０３に格納するようにしてもよい。
【実施例２】
【００３５】
実施例１は、受信が終了してから記録を開始する場合の例であるが、実施例２は、受信を開始すると同時に、記録を開始する例である。
【００３６】
図７は、本発明の実施例２の動作を示すフローチャートである。
【００３７】
送信機（図示せず）からファクシミリ装置１００にファクシミリを送信すると、回線から呼出信号が到来する。この呼出信号をＮＣＵ１１１が検出すると、ＮＣＵ１１１を制御し、回線を閉結し、ＭＯＤＥＭ１１０が受信を開始すると同時に、記録も開始する（Ｓ７０１、Ｓ７０２、Ｓ７０３）。受信した画像データは、ＲＡＭ１０４に順次格納される。
【００３８】
受信が終了すると、ＮＣＵ１１１を制御し、回線を開放する（Ｓ７０４、Ｓ７２３）。
【００３９】
受信中に操作部１０９が新たに送信を指示すると（Ｓ７０５）、現在記録中のページを記録し終えた後に、記録動作を一時中断する（Ｓ７０６、Ｓ７１１）。キャリッジモータ３３を駆動させ、キャリッジ４を左に移動させることによって、駆動切替手段が駆動モータ２０の駆動を読み取りモードに切り替え、キャリッジ４をホームポジション（図５の位置）に戻す。これで、媒体搬送路が原稿搬送のために開放されたので、原稿の読み取りを開始する（Ｓ７１２）。
【００４０】
読み取り駆動伝達手段を介して、駆動モータ２０が原稿分離ローラ１５を回転させ、原稿給紙動作を開始するとともに、ＣＳ駆動伝達手段を介して、ＣＳ駆動手段を作動させ、ＣＳホルダ２６の移動を開始する。読み取り駆動伝達手段とＣＳ駆動伝達手段とのギア比と、ローラ径とを調節することによって、原稿１２が給紙ローラ１０に到達する前に、ＣＳホルダ２６が図３に示す位置に達する。ＣＳホルダ２６が図３に示す位置に達すると、ＣＳ駆動手段とＣＳ駆動伝達手段とを連結しているクラッチが切れ、ＣＳホルダ２６が停止する。
【００４１】
なおも駆動モータ２０を駆動し、原稿が搬送ローラ１０を通過し、ＣＳ２２の位置に到達すると、読み取りを開始する。読み取った画像データが、ＲＡＭ１０４に格納される。このとき、記録動作は一時中断しているが、受信動作は、受信した画像データをＲＡＭ１０４に格納することによって続行され、読み取った画像データのＲＡＭ１０４への格納とは並行して行なわれた方が好ましい。一方で、Ｓ７１４で記録動作は再開されるが、Ｓ７１３において読み取り動作は完全に終了させ、記録動作再開の記録紙搬送のために、媒体搬送路を開放しておく方が好ましい。
【００４２】
原稿読み取りが終わると、駆動モータ２０を逆方向に駆動させることによって、駆動切替手段が読み取りモードを解除し、ＣＳホルダ２６を、図２に示す位置に戻す。その後、中断した記録を再開する（Ｓ７１３、Ｓ７１４）。
【００４３】
ファクシミリ受信が終了したら、ＮＣＵ１１１を制御し、回線を開放する（Ｓ７１５、Ｓ７１６）。
【００４４】
ステップＳ７０６において、現在記録中のページの記録が終わるよりも、ファクシミリ受信が先に終了すると、まず、ＮＣＵ１１１を制御し、回線を開放する（Ｓ７０７、Ｓ７０８）。そして、記録中のページの記録が終わったところで、記録を中断し、原稿の読み取りを開始する（Ｓ７１０、Ｓ７１７）。
【００４５】
原稿の読み取りが終わったら、中断した記録を再開する（Ｓ７１８、Ｓ７１９）。
【００４６】
次に、先程読み取った原稿の送信を行なうために、ＮＣＵ１１１を制御し、回線を閉結し、ダイヤルする（Ｓ７２０、Ｓ７２１）。相手機が応答したら、ＲＡＭ１０４に格納されている読み取った原稿の画像データを読み出し、ＭＯＤＥＭ１１０が送信を開始する（Ｓ７２２）。このとき、記録再開動作と、読み取った原稿の画像データの送信動作は、並行して行なわれる。
【００４７】
送信が終了したら、ＮＣＵ１１１を制御し、回線を開放する（Ｓ７２３）。
【００４８】
なお、上記実施例では、読み取った画像データをＲＡＭ１０４に格納するが、ＮＶＲＡＭ１０３に格納するようにしてもよい。
【００４９】
上記実施例によれば、エッジセンサ、駆動モータ、搬送ローラを、読み取り用と記録用とで共通化することができ、ファクシミリ装置を小型化することができ、コストダウンすることができることに加え、ファクシミリ受信中に送信しようとする場合、記録しているページの記録が終わると、最後のページまで記録していなくても、直ちに送信動作を行なうので、緊急のファクシミリ送信する場合に、記録を終了するまで待つことがない。
【００５０】
つまり、上記実施例は、原稿を読み取る読取手段と、画像データを送受信する通信手段と、受信した画像データをメモリに蓄積する第１の蓄積手段と、メモリに蓄積されている画像データを読み出し、記録する記録手段と、原稿の送信を指示する送信指示手段と、原稿と記録紙とに共通の搬送機構である媒体搬送機構と、上記通信手段が画像データを受信し、受信した画像データの第１の蓄積手段によるメモリ蓄積動作を行なっているときに、上記送信指示手段が原稿の送信を指示すると、上記記録手段が受信画像データの記録動作するよりも、上記送信指示手段の指示に基づいて上記読取手段が送信原稿を優先して読取動作するように制御する制御手段とを有することを特徴とするファクシミリ装置の例である。
【００５１】
また、上記実施例をプログラムの発明として把握することができる。つまり、上記実施例は、原稿と記録紙とに共通の搬送機構である媒体搬送機構を具備するファクシミリ装置において、読取手段が原稿を読み取る読取手順と、画像データを送受信する通信手順と、受信した画像データをメモリに蓄積する第１の蓄積手順と、メモリに蓄積されている画像データを読み出し、記録手段が記録する記録手順と、原稿の送信を指示する送信指示手順と、上記通信手順で画像データを受信し、受信した画像データを第１の蓄積手順でメモリ蓄積動作を行なっているときに、上記送信指示手順で原稿の送信を指示すると、上記記録手順で行なう受信画像データの記録よりも、上記送信指示手順での指示に基づく上記読取手順での送信原稿の読取を優先するように制御する制御手順とをコンピュータに実行させるプログラムの例である。
【００５２】
また、上記プログラムを、ＦＤ、ＣＤ、ＤＶＤ、ＨＤ、半導体メモリ等に記憶するようにしてもよい。
【図面の簡単な説明】
【００５３】
【図１】本発明の実施例１であるファクシミリ装置１００の構成図である。
【図２】ファクシミリ装置１００の機構を示す図である。
【図３】ファクシミリ装置１００の機構を示す図である。
【図４】ファクシミリ装置１００の機構を示す図である。
【図５】ファクシミリ装置１００の機構を示す図である。
【図６】ファクシミリ装置１００における読み取り動作を示すフローチャートである。
【図７】本発明の実施例２の動作を示すフローチャートである。
【符号の説明】
【００５４】
１…インクカートリッジ、
４…キャリッジ、
１０…搬送ローラ、
１５…原稿分離ローラ、
２０…駆動モータ、
２１…アクチュエイター、
２２…ＣＳ（コンタクトセンサ）、
１００…ファクシミリ装置、
１０１…ＣＰＵ、
１０２…ＲＯＭ、
１０６…読取部。
【図１】
2005175518.tif 000003
【図２】
2005175518.tif 000004
【図３】
2005175518.tif 000005
【図４】
2005175518.tif 000006
【図５】
2005175518.tif 000007
【図６】
2005175518.tif 000008
【図７】
2005175518.tif 000009